(57)【要約】      （修正有）【課題】占有スペースが小さく、エントランスが塞がれる範囲を制御するのが容易な安全ゲートを提供する。【解決手段】安全ゲート１０は、２つの壁取り付け柱アセンブリ１００、メインフレーム２００及び２つの接続アセンブリ３００を有する。壁取り付け柱アセンブリは、エントランスの２つの側にある壁に取り付けられる。メインフレームは、第１のフレーム部分２１０、第２のフレーム部分２２０及び摺動セット２３０を有する。摺動セットは、第１のフレーム部分及び第２のフレーム部分を接続し、それによって、第１のフレーム部分及び第２のフレーム部分は、重なり合う面積を調整するように互いに対して摺動できる。接続アセンブリは、メインフレームの２つの側に取り付けられ、壁取り付け柱アセンブリに着脱可能に取り付けられる。したがって、メインフレームは壁に着脱可能に取り付けられる。加えて、第１のフレーム部分及び第２のフレーム部分は、互いに対して移動できる。【選択図】図１
0003226974.tif 000002
【実用新案登録請求の範囲】
【請求項１】
安全ゲートであって、
エントランスの２つの側にある２つの壁にそれぞれ取り付けられる２つの壁取り付け柱アセンブリ、
前記エントランスを塞ぐように構成されているメインフレームであって、第１のフレーム部分、第２のフレーム部分、並びに、少なくとも１つの摺動セットであって、前記第１のフレーム部分及び前記第２のフレーム部分を接続し、それによって、前記第１のフレーム部分及び前記第２のフレーム部分が、該第１のフレーム部分及び該第２のフレーム部分の重なり合う面積を調整するように互いに対して摺動可能である、少なくとも１つの摺動セット、を備える、メインフレーム、並びに、
前記メインフレームの２つの端にそれぞれ取り付けられる２つの接続アセンブリであって、該接続アセンブリはそれぞれ、前記壁取り付け柱アセンブリのそれぞれ１つに着脱可能に接続される、２つの接続アセンブリ、を備える、
安全ゲート。
【請求項２】
前記少なくとも１つの摺動セットはそれぞれ、第１の摺動構成要素であって、前記第１のフレーム部分の一端に固定して取り付けられ、第１の摺動チャネルを形成し、前記第２のフレーム部分は前記第１の摺動チャネル内に移動可能に取り付けられる、第１の摺動構成要素、を備え、前記第１の摺動構成要素が押されると、前記第１のフレーム部分は前記第２のフレーム部分に対して移動し、第２の摺動構成要素が押されると、前記第２のフレーム部分は前記第１のフレーム部分に対して移動することを特徴とする、請求項１に記載の安全ゲート。
【請求項３】
前記少なくとも１つの摺動セットはそれぞれ、第２の摺動構成要素であって、前記第２のフレーム部分の一端に固定して取り付けられ、第２の摺動チャネルを形成し、前記第１のフレーム部分は前記第２の摺動チャネル内に移動可能に取り付けられる、第２の摺動構成要素をさらに備えることを特徴とする、請求項２に記載の安全ゲート。
【請求項４】
前記第１のフレーム部分及び前記第２のフレーム部分は、第１の状態であって、該第１の状態では、前記第１のフレーム部分及び前記第２のフレーム部分は、前記第１の摺動構成要素及び前記第２の摺動構成要素が互いに当接するときに最も遠くに摺動する、第１の状態、並びに、第２の状態であって、該第２の状態では、前記第１のフレーム部分及び前記第２のフレーム部分の前記重なり合う面積が最も大きい、第２の状態、を有することを特徴とする、請求項３に記載の安全ゲート。
【請求項５】
前記第１のフレーム部分は、第１の横棒、第２の横棒、並びに、複数の第１の支持棒であって、２つの端がそれぞれ、前記第１の横棒及び前記第２の横棒にそれぞれ接続されている、複数の第１の支持棒、を備え、前記第２のフレーム部分は、第３の横棒、第４の横棒、並びに、複数の第２の支持棒であって、２つの端がそれぞれ、前記第３の横棒及び前記第４の横棒にそれぞれ接続されている、複数の第２の支持棒、を備え、前記少なくとも１つの摺動セットは２つの前記摺動セットを含み、前記２つの摺動セットの前記第１の摺動構成要素は、前記第１の横棒及び前記第２の横棒にそれぞれ固定して取り付けられ、前記第３の横棒及び前記第４の横棒はそれぞれ、前記摺動セットの前記第１の摺動構成要素の前記第１の摺動チャネル内に移動可能に取り付けられ、前記２つの摺動セットの前記第２の摺動構成要素は、前記第３の横棒及び前記第４の横棒にそれぞれ固定して取り付けられ、前記第１の横棒及び前記第２の横棒はそれぞれ、前記摺動セットの前記第２の摺動構成要素の前記第２の摺動チャネル内に移動可能に取り付けられることを特徴とする、請求項３に記載の安全ゲート。
【請求項６】
前記少なくとも１つの摺動セットの前記第１の摺動構成要素はそれぞれ、前記第１の摺動チャネルに対して平行に延在する第１の固定チャンバをさらに形成し、前記第１のフレーム部分の一端は、前記第１の固定チャンバ内に固定して取り付けられることを特徴とする、請求項２〜５のいずれか一項に記載の安全ゲート。
【請求項７】
前記少なくとも１つの摺動セットそれぞれにおいて、前記第１の摺動構成要素は、前記第１の摺動チャネルに対して平行に延在する第１の固定チャンバをさらに形成し、前記第１のフレーム部分の一端は、前記第１の固定チャンバ内に固定して取り付けられ、前記第２の摺動構成要素は、前記第２の摺動チャネルに対して平行に延在する第２の固定チャンバをさらに形成し、前記第２のフレーム部分の一端は、前記第２の固定チャンバ内に固定して取り付けられることを特徴とする、請求項３〜５のいずれか一項に記載の安全ゲート。
【請求項８】
前記壁取り付け柱アセンブリはそれぞれ、前記壁取り付け柱アセンブリの、前記メインフレームに近い側にある座部、及び、前記座部上の接続柱、を備え、  前記接続アセンブリはそれぞれ、接続孔を備え、前記壁取り付け柱アセンブリの前記接続柱はそれぞれ、対応する前記接続アセンブリの前記接続孔内に取り付けられることを特徴とする、請求項１〜７のいずれか一項に記載の安全ゲート。
【請求項９】
前記２つの壁取り付け柱アセンブリそれぞれに取り付けられる２つの停止アセンブリをさらに備え、前記停止アセンブリはそれぞれ、前記対応する壁取り付け柱アセンブリの、前記メインフレームに近い側に取り付けられ、前記対応する壁取り付け柱アセンブリ内で弾性的に延在可能であり、それによって、前記対応する接続アセンブリを制限するように構成されている、請求項１〜８のいずれか一項に記載の安全ゲート。
【請求項１０】
前記壁取り付け柱アセンブリはそれぞれ、前記対応する停止アセンブリを受け入れるように構成されている設置チャンバを形成し、前記停止アセンブリはそれぞれ、停止ブロック、及び、弾性構成要素であって、該弾性構成要素の２つの端のうちの一方は、前記対応する壁取り付け柱アセンブリの前記設置チャンバ内に取り付けられ、該弾性構成要素の２つの端のうちの別の端は、前記停止ブロックに接続され、それによって、該弾性構成要素の弾性力が前記停止ブロックに加えられる、弾性構成要素、を備えることを特徴とする、請求項９に記載の安全ゲート。
【請求項１１】
前記壁取り付け柱アセンブリの前記設置チャンバはそれぞれ、前記設置チャンバの底面にガイドトラック、を備え、前記停止アセンブリの前記停止ブロックはそれぞれ、前記対応する壁取り付け柱アセンブリの前記ガイドトラックに接続されるとともに、前記ガイドトラックに対して摺動可能な摺動スロット、を備えることを特徴とする、請求項１０に記載の安全ゲート。
【請求項１２】
前記停止アセンブリの前記停止ブロックはそれぞれ、ガイドチャンバ、を備え、前記壁取り付け柱アセンブリはそれぞれ、前記設置チャンバ内にあり、前記対応する停止アセンブリの前記ガイドチャンバに形状が適合するガイドブロック、を備え、前記停止アセンブリの前記弾性構成要素はそれぞれ、前記停止アセンブリの前記ガイドチャンバ及び前記壁取り付け柱アセンブリの前記ガイドブロックに接続することを特徴とする、請求項１０に記載の安全ゲート。
【請求項１３】
前記メインフレームの、前記接続アセンブリから離れた側に取り付けられる車輪をさらに備える、請求項１〜１２のいずれか一項に記載の安全ゲート。
【考案の詳細な説明】
【技術分野】
【０００１】
本考案は、安全ゲートに関する。
【背景技術】
【０００２】
建物又はエリアへのアクセスを制御するために、建物又はエリアのエントランスに安全ゲートが取り付けられる。
【０００３】
従来の安全ゲート及びその壁取り付け柱アセンブリは、占有するスペースが大きいため、組み立てが困難であるとともに使用上不便である。加えて、従来の安全ゲートは幅が調整できないため、従来の安全ゲートは、様々な幅を有するエントランスに適合できず、この点も不便である。
【０００４】
例えば、特許文献１において開示されているように、安全ゲートは、メインフレーム、２つの壁取り付けアセンブリ、及び、２つの接続アセンブリを有する。２つの接続アセンブリは、メインフレームの２つの反対の側にそれぞれ移動可能に取り付けられる。各接続アセンブリは、第１の接続部分及び第２の接続部分を有する。各壁取り付けアセンブリは、第１の枢動ベース及び第２の枢動ベースを有する。各第１の接続部分は、対応する第１の枢動ベースに回転可能かつ着脱可能に接続される。各第２の接続部分は、対応する第２の枢動ベースに回転可能かつ着脱可能に接続される。１つの接続アセンブリを対応する壁取り付けアセンブリから取り外して回転させることによって、メインフレームをゲートとして開閉できる。全ての接続部分を対応するベースから取り外すことによって、メインフレームを特定の場所に容易に設置し、その場で解体できる。
【先行技術文献】
【特許文献】
【０００５】
【特許文献１】米国特許出願公開第２０１９／００８５６２０号
【考案の概要】
【考案が解決しようとする課題】
【０００６】
本考案の主な目的は、安全ゲートを提供することであり、その占有スペースはより小さく、エントランスを塞ぐ範囲を調整可能である。
【課題を解決するための手段】
【０００７】
安全ゲートは、２つの壁取り付け柱アセンブリ、メインフレーム及び２つの接続アセンブリを有する。２つの壁取り付け柱アセンブリは、エントランスの２つの側の２つの壁にそれぞれ取り付けられる。メインフレームは、エントランスを塞ぐように構成されており、第１のフレーム部分、第２のフレーム部分及び少なくとも１つの摺動セットを備える。少なくとも１つの摺動セットは、第１のフレーム部分及び第２のフレーム部分を接続し、それによって、第１のフレーム部分及び第２のフレーム部分は、第１のフレーム部分及び第２のフレーム部分の重なり合う面積を調整するように互いに対して摺動可能である。２つの接続アセンブリは、メインフレームの２つの端にそれぞれ取り付けられる。接続アセンブリの各１つは、壁取り付け柱アセンブリのそれぞれ１つに着脱可能に接続される。
【０００８】
したがって、上述した安全ゲートの場合、メインフレームは、接続アセンブリ及び壁取り付け柱アセンブリを介して、エントランスの２つの側にある壁に着脱可能に接続されるため、メインフレームは容易に取り外される。加えて、第１のフレーム部分及び第２のフレーム部分は、摺動セットによって移動可能に接続され、第１のフレーム部分及び第２のフレーム部分の重なり合う面積は、エントランスを塞ぐか又はエントランスを開くように調整できる。第１のフレーム部分及び第２のフレーム部分がその延在する方向に移動可能であることで、枢動する第１のフレーム部分及び第２のフレーム部分を介してエントランスを開閉することと比較して、占有されるスペースはより小さく、エントランスが塞がれる範囲を任意に調整できる。
【図面の簡単な説明】
【０００９】
【図１】第１の状態で示されている、本考案による安全ゲートの斜視図である。
【図２】図１における安全ゲートの別の斜視図である。
【図３】図２における部分Ａの安全ゲートの拡大図である。
【図４】第２の状態で示されている、図１における安全ゲートの別の斜視図である。
【図５】図１における安全ゲートの停止ブロック及び壁取り付け柱アセンブリの斜視図である。
【図６】図１における部分Ｂの安全ゲートの拡大図である。
【図７】図１における安全ゲートの停止ブロックの斜視図である。
【図８】第１の補助的な接続アセンブリ及び第２の補助的な接続アセンブリの斜視図である。
【考案を実施するための形態】
【００１０】
本考案の理解を容易にするために、以下では、添付の図面を参照して本考案をより完全に記載する。図面には本考案の好ましい実施形態が示されている。しかし、本考案は、多くの異なる形態で具現でき、本明細書において記載される実施形態に限定されない。むしろ、これらの実施形態は、本開示がより完全に理解されるように提供されるものである。
【００１１】
或る構成要素が別の構成要素に「固定される」ものとして言及するとき、或る構成要素は上記別の構成要素に直接的に取り付けできるか、又は、また別の構成要素をその構成要素と上記別の構成要素との間に配置できることに留意されたい。或る構成要素が別の構成要素に「接続される」と言及するとき、或る構成要素は上記別の構成要素に直接的に接続できるか、又は、また別の構成要素をその構成要素と上記別の構成要素との間に配置できる。本明細書において用いられるような「垂直」、「水平」、「左」、「右」等の用語は、説明のためのものであり、唯一の実施形態であることを意図しない。
【００１２】
本明細書において用いられる全ての技術的及び科学的な用語は、当業者によって一般的に理解されるものと同じ意味を有する。本考案の記載において用いられる用語は、特定の実施形態を記載するためのものであり、本考案を限定することは意図されない。本明細書において用いられる「及び／又は」という用語は、関連する列挙されるアイテムの１つ又は複数のあらゆる組み合わせを含む。
【００１３】
図１を参照されたい。本考案の安全ゲート１０は、エントランスを塞ぐように構成されている。
【００１４】
本考案の安全ゲート１０の実施形態のうちの１つは、少なくとも１つの壁取り付け柱アセンブリ１００、メインフレーム２００及び少なくとも１つの接続アセンブリ３００を備える。少なくとも１つの壁取り付け柱アセンブリ１００は、エントランスの壁に取り付けられ、少なくとも１つの接続アセンブリ３００は、少なくとも１つの壁取り付け柱アセンブリ１００に着脱可能に取り付けられる。
【００１５】
メインフレーム２００は、第１のフレーム部分２１０、第２のフレーム部分２２０及び摺動セット２３０を備える。第１のフレーム部分２１０及び第２のフレーム部分２２０は互いに対して平行である。摺動セット２３０は、第１のフレーム部分２１０及び第２のフレーム部分２２０を接続し、それによって、第１のフレーム部分２１０及び第２のフレーム部分２２０は、互いに対して摺動可能であり、これが、第１のフレーム部分２１０及び第２のフレーム部分２２０の重なり合う面積を調整する。
この実施形態では、少なくとも１つの壁取り付け柱アセンブリ１００の数は２つであり、少なくとも１つの接続アセンブリ３００の数は２つである。２つの接続アセンブリ３００は、メインフレーム２００の２つの端にそれぞれ固定して取り付けられ、２つの壁取り付け柱アセンブリ１００にそれぞれ着脱可能に取り付けられる。
【００１６】
本考案の安全ゲート１０の上述した実施形態では、メインフレーム２００は、接続アセンブリ３００及び壁取り付け柱アセンブリ１００を介して壁に取り付けでき、メインフレーム２００は、容易に壁に設置されるか又は壁から取り外される。加えて、第１のフレーム部分２１０及び第２のフレーム部分２２０の重なり合う面積は、摺動セット２３０を介して調整でき、これによってエントランスを塞ぐか又はエントランスを開く。
第１のフレーム部分２１０及び第２のフレーム部分２２０は、その延在方向に互いに対して摺動可能であるため、第１のフレーム部分２１０又は第２のフレーム部分２２０のみが、直線に沿って移動できる。エントランスを塞ぐか又は開くように互いに対して枢動できる第１のフレーム部分及び第２のフレーム部分を有する従来の安全ゲートと比較して、本考案の安全ゲート１０は、占有されるスペースがより小さく、エントランスにおいて塞がれる範囲を任意に調整できる。
【００１７】
好ましい実施形態では、第１のフレーム部分２１０は、第１の横棒２１１、第２の横棒２１２及び複数の第１の支持棒２１３を備えることが可能である。第１の支持棒２１３の各１つの２つの端は、第１の横棒２１１及び第２の横棒２１２にそれぞれ接続されている。また、第２のフレーム部分２２０は、第３の横棒２２１、第４の横棒２２２及び複数の第２の支持棒２２３を備えることが可能である。第２の支持棒２２３の各１つの２つの端は、第３の横棒２２１及び第４の横棒２２２にそれぞれ接続されている。
【００１８】
次に、図２及び図３も参照されたい。摺動セット２３０は、第１の摺動構成要素２４０及び第２の摺動構成要素２５０を備えることが可能である。第１の摺動構成要素２４０及び第２の摺動構成要素２５０は互いに接続されている。第１の摺動構成要素２４０は、ねじによって第１の横棒２１１の一端に取り付けられている。
第１の摺動構成要素２４０は、第１の摺動路２４１及び第１の固定チャンバ２４２を形成し、第１の固定チャンバ２４２及び第１の摺動路２４１は互いに対して平行に延在する。第１の横棒２１１の上記一端は、第１の固定チャンバ２４２内に固定して取り付けられており、第３の横棒２２１は、第１の摺動路２４１内に移動可能に取り付けられるため、第１の摺動構成要素２４０及び第１の横棒２１１は、第３の横棒２２１に沿って移動可能である。
【００１９】
第２の摺動構成要素２５０は、ねじによって第３の横棒２２１の一端に取り付けられている。第２の摺動構成要素２５０は、第２の摺動路２５１及び第２の固定チャンバ（図示せず）を形成し、第２の固定チャンバ及び第２の摺動路２５１は互いに対して平行に延在する。第３の横棒２２１の上記一端は、第２の固定チャンバ内に固定して取り付けられており、第１の横棒２１１は、第２の摺動路２５１内に移動可能に取り付けられるため、第２の摺動構成要素２５０及び第３の横棒２２１は、第１の横棒２１１に沿って移動可能である。
【００２０】
また、摺動セット２３０は、第２の横棒２１２及び第４の横棒２２２に取り付けられている別の第１の摺動構成要素２４０及び別の第２の摺動構成要素２５０を備えることが可能である。したがって、第２の横棒２１２及び第４の横棒２２２も接続され、それによって、第１のフレーム部分２１０及び第２のフレーム部分２２０は、より安定して摺動できる。加えて、第１のフレーム部分２１０又は第２のフレーム部分２２０の上側部分及び下側部分が同時に、すなわち一緒に摺動する場合、エントランスは、上側及び下側が開くか又は塞がれる。換言すると、第１のフレーム部分２１０又は第２のフレーム部分２２０は、エントランスが開くときに敷居を残すのではなく全体的に移動できるため、これによって、人々が敷居に対してつまづくことを防止する。
【００２１】
好ましい実施形態では、第１のフレーム部分２１０及び第２のフレーム部分２２０は、第１の状態及び第２の状態に移動できる。図１を参照されたい。第１の状態では、第１の摺動構成要素２４０及び第２の摺動構成要素２５０は、互いに当接し、エントランスを塞ぐ。
続いて、図４を参照されたい。第２の状態では、第１のフレーム部分２１０及び第２のフレーム部分２２０の重なり合う面積が最も大きい。エントランスが開く幅は、第１のフレーム部分２１０又は第２のフレーム部分２２０の幅に等しくできる。この実施形態では、第１の状態又は第２の状態は、第１のフレーム部分２１０及び第２のフレーム部分２２０の位置を制限することを表す。ユーザは、エントランスを特定の幅まで開くことが可能であるため、種々の状況において安全ゲート１０を使用できる。具体的には、エントランスが安全ゲート１０によって開くか又は塞がれるとき、ユーザは、第１のフレーム部分２１０又は第２のフレーム部分２２０を互いに対して摺動するように任意に操作できるため、安全ゲート１０は使用が簡便である。
【００２２】
次に、図５を参照されたい。好ましい実施形態では、座部１１０が、壁取り付け柱アセンブリ１００の各１つの、メインフレーム２００付近の側に取り付けられる。接続柱１１１が座部１１０に取り付けられている。
続いて、図６も参照されたい。接続アセンブリ３００の各１つは、接続孔３１０を形成する。接続孔３１０は、接続柱１１１に及び接続柱１１１の周りに位置付けられ、これは、接続アセンブリ３００を対応する壁取り付け柱アセンブリ１００から分離することを容易にする。誰かがエントランスを通過しようとする場合、接続アセンブリ３００のうちの１つを接続柱１１１から分離した後、ユーザは、第１のフレーム部分２１０又は第２のフレーム部分２２０を移動させてエントランスを部分的に開くか、又は、接続アセンブリ３００を壁取り付け柱アセンブリ１００から取り外してエントランスを完全に開くことが可能である。したがって、通過がより容易である。
【００２３】
安全ゲート１０は、壁取り付け柱アセンブリ１００及び接続アセンブリ３００の上述した構造によって、設置及び取り外しが簡便である。加えて、安全ゲート１０は、種々の状況で設置できる。
例えば、通常はエントランスの２つの側にある壁は互いに対して平行であるため、安全ゲート１０を通常通りに設置できる。しかし、エントランスの２つの側にある壁が互いからずれた配置である場合、従来の安全ゲートのフレーム部分は、枢動するときに壁によって干渉を受ける可能性があるため、この状況に適合できない。これに対し、本考案の安全ゲート１０は、このような状況であっても設置可能である。正確には、壁取り付け柱アセンブリ１００をエントランスの２つの側にある２つの壁に取り付け、接続アセンブリ３００を壁取り付け柱アセンブリ１００に取り付けた後で、第１のフレーム部分２１０及び第２のフレーム部分２２０は互いに対して摺動できるため、メインフレーム２００は壁によって干渉されない。
【００２４】
別の実施形態では、接続アセンブリ３００は、第１のフレーム部分２１０若しくは第２のフレーム部分２２０に一体的に形成できるか、又は、安全ゲート１０がいずれの接続アセンブリ３００も有しない場合があるが、接続柱１１１を受け入れるように、第１のフレーム部分２１０及び第２のフレーム部分２２０に孔が形成される。
【００２５】
この実施形態では、安全ゲート１０は、壁取り付け柱アセンブリ１００のそれぞれ１つに取り付けられる２つの停止アセンブリ４００をさらに備えることが可能である。正確には、停止アセンブリ４００の各１つは、壁取り付け柱アセンブリ１００の対応するものの側に取り付けられる。壁取り付け柱アセンブリ１００の上記側は、メインフレーム２００に近い。停止アセンブリ４００の各１つは、対応する壁取り付け柱アセンブリ１００内で弾性的に延在可能であり、それによって、対応する壁取り付け柱アセンブリ１００に接続される接続アセンブリ３００を適所に制限するように構成されている。したがって、接続アセンブリ３００及び壁取り付け柱アセンブリ１００は安定して接続される。
【００２６】
好ましい実施形態では、壁取り付け柱アセンブリ１００の各１つは、設置チャンバ１２０を形成する。設置チャンバ１２０は、停止アセンブリ４００のうちの１つを受け入れるように構成されている。停止アセンブリ４００の各１つは、停止ブロック４１０及び弾性構成要素４２０を備える。弾性構成要素４２０の一端は、設置チャンバ１２０内に取り付けられ、弾性構成要素４２０の別の端は、停止ブロック４１０に接続される。停止ブロック４１０及び座部１１０は互いから離間される。弾性構成要素４２０は、停止ブロック４１０に弾性力を加え、これが、接続アセンブリ３００を停止ブロック４１０によって停止ブロック４１０と座部１１０との間に制限し、接続アセンブリ３００が接続柱１１１から取り外されることを防止する。
【００２７】
具体的には、ユーザは、安全ゲート１０を開くことを望む場合、停止ブロック４１０を押し、停止ブロック４１０を、対応する接続アセンブリ３００から離すように移動できる。ユーザは、停止ブロック４１０が設置チャンバ１２０内に下がった後で、接続アセンブリ３００を持ち上げて接続柱１１１から分離でき、それによって、第１のフレーム部分２１０又は第２のフレーム部分２２０が対応する壁取り付け柱アセンブリ１００から取り外される。次に、ユーザは、第１のフレーム部分２１０又は第２のフレーム部分２２０を枢動させ、本考案の安全ゲート１０を完全に開く。
【００２８】
ユーザは、安全ゲート１０がエントランスを塞ぐことを望まない場合、安全ゲート１０を開くのと同様に、双方の側にある２つの停止ブロック４１０を同時に押すか、又は、連続的に、第１のフレーム部分２１０を対応する壁取り付け柱アセンブリ１００から分離させることで、第２のフレーム部分２２０を対応する壁取り付け柱アセンブリ１００から分離できる。こうして、メインフレーム２００を取り外しできる。
【００２９】
ユーザは、メインフレーム２００を壁取り付け柱アセンブリ１００に取り付けることを望む場合、停止ブロック４１０を押し、対応する接続アセンブリ３００からそれぞれ離すように移動でき、それによって、停止ブロック４１０は対応する設置チャンバ１２０内に下がる。次に、ユーザは、接続アセンブリ３００を接続柱１１１にそれぞれスリーブ接続するとともに停止ブロック４１０を解放し、それによって、停止ブロック４１０は、弾性構成要素４２０を介して対応する接続アセンブリ３００に向かって移動し、対応する設置チャンバ１２０から延在させる。したがって、接続アセンブリ３００は、停止ブロック４１０と対応する座部１１０との間に制限される。換言すると、接続アセンブリ３００が固定され、すなわち、第１のフレーム部分２１０及び第２のフレーム部分２２０は、対応する壁取り付け柱アセンブリ１００にそれぞれロックされ、それによって、安全ゲートが完全に設置される。
【００３０】
次に、図５及び図７を参照されたい。好ましい実施形態では、設置チャンバ１２０の各１つは、設置チャンバ１２０の底面にガイドトラック１２１を備える。停止ブロック４１０の各１つは、ガイドトラック１２１に接続される摺動スロット４３０を備える。摺動スロット４３０は、接続されるガイドトラック１２１に対して摺動可能であり、これが、設置チャンバ１２０における移動中に停止ブロック４１０をガイドし、逸脱しない。
【００３１】
さらに、停止ブロック４１０の各１つはガイドチャンバ４１１を形成し、設置チャンバ１２０の各１つは内部にガイドブロック１２３を備える。ガイドブロック１２３の断面形状及び断面サイズ、並びに、ガイドチャンバ４１１の断面形状及び断面サイズは同じである。弾性構成要素４２０の各１つは、ガイドチャンバ４１１のそれぞれ１つ及びガイドブロック１２３のそれぞれ１つを接続する。ガイドチャンバ４１１及びガイドブロック１２３は、停止ブロック４１０を一緒にガイドするように構成されており、これは、停止ブロック４１０が移動中に所定の方向から逸脱することを防止する。したがって、停止ブロック４１０は設置チャンバ１２０内で安定して移動できる。
【００３２】
好ましい実施形態では、ガイドブロック１２３は、設置孔１２５及び第１のガイド構成要素１２７を備える。第１のガイド構成要素１２７は設置孔１２５内に取り付けられている。停止ブロック４１０はそれぞれ、ガイドチャンバ４１１内に第２のガイド構成要素４１３を備える。弾性構成要素４２０の一端は第１のガイド構成要素１２７に取り付けられ、弾性構成要素４２０の別の端は第２のガイド構成要素４１３に取り付けられ、これが、弾性構成要素４２０をガイドし、弾性構成要素４２０が圧縮又は伸張中に曲がることを防止する。
【００３３】
次に、図１及び図８を参照されたい。好ましい実施形態では、本考案の安全ゲート１０は、少なくとも１つの第１の補助的な接続アセンブリ５００及び少なくとも１つの第２の補助的な接続アセンブリ６００をさらに備える。少なくとも１つの第１の補助的な接続アセンブリ５００の各１つ及び壁取り付け柱アセンブリ１００のうちの１つは、互いに離間し、同じ垂直線内に位置付けられる。少なくとも１つの第２の補助的な接続アセンブリ６００の各１つは、メインフレーム２００に取り付けられており、別の垂直線において接続アセンブリ３００から離間される。少なくとも１つの第１の補助的な接続アセンブリ５００及び少なくとも１つの第２の補助的な接続アセンブリ６００は、互いに枢動可能かつ着脱可能に接続されている。また、少なくとも１つの第１の補助的な接続アセンブリ５００の各１つは、補助的な柱５１０を備え、少なくとも１つの第２の補助的な接続アセンブリ６００の各１つは、補助的な孔６１０を形成する。
補助的な孔６１０は、補助的な柱５１０に及び補助的な柱５１０の周りに位置付けられる。補助的な柱５１０が補助的な孔６１０内にスリーブ接続された状態で、メインフレーム２００を壁取り付け柱アセンブリ１００により安定して固定できる。正確には、少なくとも１つの第１の補助的な接続アセンブリ５００の数は２つである。２つの第１の補助的な接続アセンブリ５００は、エントランスの２つの壁にそれぞれ取り付けられ、２つの壁取り付け柱アセンブリ１００から離間される。少なくとも１つの第２の補助的な接続アセンブリ６００の数は２つである。２つの第２の補助的な接続アセンブリ６００は、第１の支持棒２１３及び第２の支持棒２２３にそれぞれ取り付けられ、第１のフレーム部分２１０及び第２のフレーム部分２２０を安定させるように構成されている。別の実施形態では、第１の補助的な接続アセンブリ５００及び第２の補助的な接続アセンブリ６００の数はこれらに限定されない。
【００３４】
次に、図１を参照されたい。好ましい実施形態では、安全ゲート１０は車輪７００を備えることが可能である。車輪７００は、メインフレーム２００の、接続アセンブリ３００から離れた側に取り付けられており、これは、開閉中のメインフレーム２００の抵抗を低下させる。正確には、安全ゲート１０は、第２の横棒２１２の、対応する壁取り付け柱アセンブリ１００に近い一端、及び、第４の横棒２２２の、他方の対応する壁取り付け柱アセンブリ１００に近い一端、並びに、第２の横棒２１２及び第４の横棒２２２が接続される部分にそれぞれ取り付けられる複数の車輪７００を有することが可能である。これによって、第１のフレーム部分２１０又は第２のフレーム部分２２０はスムーズに移動できる。
【図１】
0003226974.tif 000003
【図２】
0003226974.tif 000004
【図３】
0003226974.tif 000005
【図４】
0003226974.tif 000006
【図５】
0003226974.tif 000007
【図６】
0003226974.tif 000008
【図７】
0003226974.tif 000009
【図８】
0003226974.tif 000010